(57)【要約】【課題】複数の障子のうち１つの障子が見込み方向に振れても、複数の障子を確実に連動させることができる建具の提供。【解決手段】第２の障子３０の縦框３４の見込み面部３４１に連動装置２０を設ける。連動装置２０は、見込み面部３４１の見込み方向に沿って形成された長孔３４３に回動自在かつ長孔３４３の長手方向に移動自在に支持される取付軸２３と、取付軸２３が取り付けられたフレーム２１と、フレーム２１に回転自在に支持され取付軸２３の軸心と直交する回転軸心を有するローラー２２と、取付軸２３が長孔３４３から抜けることを防止するプレート２４と、取付軸２３を回転軸としてフレーム２１が回転する方向に付勢し、ローラー２２の周面を回転軸心に沿った異なる２箇所で、第１の障子の当接面と、枠体の前記当接面に対向する対向面とにそれぞれ当接させるねじりばね２５とを備える。【選択図】図４
2014043714.tif 000002
【特許請求の範囲】
【請求項１】
枠体と、
この枠体にスライド開閉自在に支持された第１の障子および第２の障子の少なくとも２枚の障子と、
前記第１の障子の開閉移動に伴って前記第２の障子を連動させる連動装置とを備え、
前記第２の障子の第１の障子との召合せ部の見込み面部には、見込み方向に沿って長孔が形成され、
前記連動装置は、
前記見込み面部の長孔に回動自在かつ前記長孔の長手方向に移動自在に支持される取付軸と、
この取付軸が取り付けられたフレームと、
このフレームに回転自在に支持され前記取付軸の軸心と直交する回転軸心を有するローラーと、
前記取付軸が前記長孔から抜けることを防止する抜止部材と、
前記取付軸を回転軸として前記フレームが回転する方向に付勢し、前記ローラーの周面を、前記回転軸心に沿った異なる２箇所で、前記第１の障子の当接面と、前記枠体の前記当接面に対向する対向面とにそれぞれ当接させる付勢部材と、
を備える建具。
【請求項２】
前記連動装置は、前記付勢部材の付勢に抗して前記ローラーの周面が前記第１の障子と前記枠体との双方から離れている離隔状態と、前記付勢部材の付勢を許容して前記ローラーの周面が前記第１の障子と前記枠体とにそれぞれ当接する当接状態とに切り換える切換機構を備える請求項１に記載の建具。
【請求項３】
前記切換機構は、前記見込み面部に回動自在に取り付けられ前記フレームに係止されるフックを備えた請求項２に記載の建具。
【請求項４】
前記第２の障子は、前記見込み面部と前記見込み面部に直交する見付け面部とを有する縦框を備え、
前記抜止部材は、前記フレームに対して前記見込み面部を挟んで配置され前記取付軸が挿通される挿通孔が形成されたプレートを有し、前記プレートは前記見付け面部に係止され、
前記付勢部材は、
前記プレートに係止される一端部と、
前記取付軸に係止される他端部と、
前記一端部と前記他端部とに接続され前記取付軸を挿通する螺旋部を有するコイル状ばね部材を備えた請求項１から請求項３のいずれか１項に記載の建具。
【請求項５】
被取付面部に形成された孔に支持される取付軸と、
この取付軸が取り付けられたフレームと、
このフレームに回転自在に支持され前記取付軸の軸心と直交する回転軸心を有するローラーと、
前記取付軸が前記被取付面部の孔から抜けることを防止する抜止部材と、
前記抜止部材に対して前記フレームを前記取付軸の周方向に沿って付勢する付勢部材と、
を備える連動装置。
【発明の詳細な説明】
【技術分野】
【０００１】
本発明は、建具および連動装置に関し、詳しくは、２枚の障子が連動して開閉する建具、およびこの建具に用いられる連動装置に関する。
【背景技術】
【０００２】
出入口等に用いられる建具として、枠体に対して見込み方向に隣接して設けられた２枚以上の複数枚の扉（障子）を備え、そのうち２枚の扉が連動して開閉する連動式引き戸が知られている。
この引き戸には、枠体にガイドレールを設け、このガイドレールで内扉および外扉を移動自在に案内し、ガイドレールと外扉とに当接する連動ローラーを内扉に設けた従来例がある（特許文献１）。
【０００３】
この特許文献１は、連動ローラーの周面を外扉の内側板面とガイドレールの水平部分とに直接当接させる支持手段を備えている。この支持手段は、内扉の奥行方向に設けられた取付基板と、この取付基板に凸設された枢軸に回動自在に設けられた可動ホルダと、可動ホルダに軸方向に直進可能に保持された連動ローラーと、連動ローラーのローラー軸を付勢する付勢ばねとを有する。特許文献１では、互いに直交する前記外扉の内側板面とガイドレールの水平部分に前記連動ローラーを当接させるため、ローラー軸を４５度の傾斜角で傾けて、ローラー軸の先端を直交するガイドレールと外扉の内側板面の交線に向けて付設する。
このような特許文献１では、内扉に対する外扉の吊り込み間隔にズレが生じると、前記付勢ばねで付勢された連動ローラーが軸方向に移動し、かつ、前記枢軸を回転中心として前記稼動ホルダが回転する。このため、連動ローラーはガイドレールと外扉の双方へ当接し続ける。
【先行技術文献】
【特許文献】
【０００４】
【特許文献１】特許第４５４５８０８号公報
【発明の概要】
【発明が解決しようとする課題】
【０００５】
しかし、特許文献１では、外扉の見込み方向への振れなどに起因して内扉に対する外扉の間隔がずれると、ローラー軸の傾斜角が変化する。ローラー軸の傾斜角が変化すると、前記付勢バネの付勢力が加わる軸方向と、前記連動ローラーが当接する外扉の内側板面およびガイドレールの当接面とのそれぞれの交差角度が異なることになる。このため、連動ローラーおよび外扉の内側板面間に働く摩擦力と、連動ローラーおよびガイドレール間に働く摩擦力とが変化し、連動ローラーが正しく転動しない。
そのため、特許文献１では、連動ローラーが正しく転動しないことにより、内扉と外扉とが正確に連動しないおそれがある。
【０００６】
本発明の目的は、複数の障子のうち１つの障子が見込み方向に振れても、複数の障子を確実に連動させることができる建具および連動装置を提供することにある。
【課題を解決するための手段】
【０００７】
本発明の建具は、枠体と、この枠体にスライド開閉自在に支持された第１の障子および第２の障子の少なくとも２枚の障子と、前記第１の障子の開閉移動に伴って前記第２の障子を連動させる連動装置とを備え、前記第２の障子の第１の障子との召合せ部の見込み面部には、見込み方向に沿って長孔が形成され、前記連動装置は、前記見込み面部の長孔に回動自在かつ前記長孔の長手方向に移動自在に支持される取付軸と、この取付軸が取り付けられたフレームと、このフレームに回転自在に支持され前記取付軸の軸心と直交する回転軸心を有するローラーと、前記取付軸が前記長孔から抜けることを防止する抜止部材と、前記取付軸を回転軸として前記フレームが回転する方向に付勢し、前記ローラーの周面を、前記回転軸心に沿った異なる２箇所で、前記第１の障子の当接面と、前記枠体の前記当接面に対向する対向面とにそれぞれ当接させる付勢部材と、を備えることを特徴とする。
【０００８】
このような本発明によれば、第１の障子を開閉操作するのに伴って、第２の障子に取り付けられた連動装置のローラーが、前記第１の障子の当接面および枠体の対向面に当接して回転することで連動される。
この際、開閉操作やその他の原因によって、第１の障子が見込み方向に振れる（移動する）ことがある。第１の障子が振れると、連動装置のローラーが当接する第１の障子の当接面と、枠体の対向面との間の寸法が変わることになる。
本発明では、付勢部材によってローラーが取付軸を回転軸として回動するため、第１の障子が見込み方向に振れて、第１の障子の当接面と枠体の対向面との間の寸法が変わっても、ローラーの周面が軸心方向に沿った異なる２箇所で前記当接面および対向面にそれぞれ当接する。ローラーの周面が前記当接面および対向面の一方にのみ当接し、他方には当接しない場合には、付勢部材の付勢力によって、フレームに取り付けられた取付軸が前記長孔の長手方向に沿って移動し、ローラーの周面が前記当接面および対向面に常に当接することになる。
したがって、第１の障子が振れても、ローラーが空回りすることなく第１の障子と枠体とに当接するので、第１の障子と第２の障子とが確実に連動されることになる。
さらに、連動装置の取付軸は、前記長孔内を見込み方向に移動するため、第１の障子の当接面と、枠体の対向面との間隔が変化した場合に、前記取付軸を当接面および対向面の中央位置に移動させることができる。このため、ローラーと、当接面および対向面に働く各摩擦力も同一にでき、ローラーはスムーズに回転して第１の障子および第２の障子を確実に連動させることができる。
その上、連動装置の取付軸が長孔内を見込み方向に移動するため、前記第１の障子が見込み方向に振れても、第２の障子は見込み方向に移動することがない。このため、第２の障子を案内するガイドローラー等に過度に接触することがなく、開閉操作に必要な力の増大を防止でき、開閉操作性の低下も防止できる。
【０００９】
本発明の建具では、前記連動装置は、前記付勢部材の付勢に抗して前記ローラーの周面が前記第１の障子と前記枠体との双方から離れている離隔状態と、前記付勢部材の付勢を許容して前記ローラーの周面が前記第１の障子と前記枠体とにそれぞれ当接する当接状態とに切り換える切換機構を備えることが好ましい。
【００１０】
このような構成によれば、第１の障子の急激な開閉等によって、ローラーが第１の障子に対してスリップして第１の障子が第２の障子に対して必要以上に移動した際に、切換機構によって第１の障子を第２の障子に対して正しい位置に戻すことを容易に行える。
つまり、第１の障子を第２の障子に対して正しい位置に戻すには、第２の障子を静止させ、第１の障子のみを移動させることになるが、付勢部材によってローラーが第１の障子と枠体のうち第１の障子に対向する部分とに付勢されているため、第２に障子を静止させた状態で第１の障子のみを移動させるには負荷がかかる。この負荷をなくすには、ローラーをその周面が第１の障子と枠体との双方から離れた状態で保持することが必要となるが、ローラーを作業者が保持しているのでは作業が繁雑となる。
そこで、本発明では、切換機構によって、ローラーの周面が第１の障子と枠体との双方から離れた状態を維持し、第１の障子を操作しても、第１の障子の動きが第２の障子に伝わらないようにした。そのため、作業者がローラーを保持しながら作業する必要が無いため、第１の障子を第２の障子に対して正しい位置に容易に復帰させることができる。
第１の障子と第２の障子とを正しい位置に復帰させた後では、切換機構によってローラーを当接状態に切り換える。すると、付勢部材の付勢によって、ローラーの周面が第１の障子と枠体との双方に当接することになる。従って、第１の障子を操作すると、その動きが第２の障子に伝達され、連動装置が正常に作動する。
【００１１】
本発明の建具では、前記切換機構は、前記見込み面部に回動自在に取り付けられ前記フレームに係止されるフックを備えることが好ましい。
このような構成によれば、フックを回動操作することで、離隔状態と当接状態とに容易に切り換えることができる。フックは板材を加工することで容易に作製することができるから、切換機構の構造を簡易なものにできる。
【００１２】
本発明の建具では、前記第２の障子は前記見込み面部と前記見込み面部に直交する見付け面部とを有する縦框を備え、前記抜止部材は、前記フレームに対して前記見込み面部を挟んで配置され前記取付軸が挿通される挿通孔が形成されたプレートを有し、前記プレートは前記見付け面部に係止され、前記付勢部材は、前記プレートに係止される一端部と、前記取付軸に係止される他端部と、前記一端部と前記他端部とに接続され前記取付軸を挿通する螺旋部を有するコイル状ばね部材を備えることが好ましい。
このような構成では、プレートとフレームとで見付け面部を挟むので、連動装置が第２の障子から離脱することを防止できる。その上、コイル状ばね部材は、その一端がプレートに係止され他端が取付軸に係止され、かつ、螺旋部に取付軸が挿通されるので、省スペースでコイル状ばね部材の装着を実現することができる。
【００１３】
本発明の連動装置は、被取付面部に形成された孔に支持される取付軸と、この取付軸が取り付けられたフレームと、このフレームに回転自在に支持され前記取付軸の軸心と直交する回転軸心を有するローラーと、前記取付軸が前記被取付面部の孔から抜けることを防止する抜止部材と、前記抜止部材に対して前記フレームを前記取付軸の周方向に沿って付勢する付勢部材と、を備えることを特徴とする。
このような連動装置は、第１の障子の開閉移動に伴って連動する第２の障子の被取付面部に取り付けられる。この際、付勢部材を抜止部材および取付軸間に設けることができ、付勢部材を被取付面部に係止する必要が無い。このため、連動装置が取り付けられる被取付面部には、取付溝が挿入される孔のみを加工すれば良く、被取付面部の加工コストも低減できる。
【発明の効果】
【００１４】
本発明では、複数の障子のうち１つの障子が見込み方向に振れても、複数の障子を確実に連動させることができる。
【図面の簡単な説明】
【００１５】
【図１】本発明の第１実施形態に係る建具を示す縦断面図。
【図２】前記建具の横断面図であり、障子を開いた状態を示す図。
【図３】前記建具の横断面図であり、障子を閉じた状態を示す図。
【図４】連動装置の縦框への取付状態を示す分解斜視図。
【図５】連動装置の側面図。
【図６】連動装置の平面図。
【図７】連動装置の背面図。
【図８】連動装置の動作を説明する図。
【図９】本発明の第２実施形態に係る建具の要部を示す縦断面図。
【発明を実施するための形態】
【００１６】
以下、本発明の実施形態を図面に基づいて説明する。
なお、第２実施形態において、次の第１実施形態で説明する構成部材と同じ構成部材、および同様な機能を有する構成部材には、第１実施形態の構成部材と同じ符号を付し、それらの説明を省略または簡略化する。また、各図においては、図面を見やすくするために、主要な構成部材については、その断面部分のハッチングを省略することがある。
【００１７】
〔第１実施形態〕
本発明の第１実施形態に係る建具は、風除室に用いられる上吊り式ハンガー引き戸である。
図１は、本実施形態の建具１を示す縦断面図である。図２および図３は、建具１の横断面図である。
図１から図３において、建具１は、玄関に設けられた風除室の出入口開口部に設けられるもので、枠体としての建具枠２と、この建具枠２内に支持された第１の障子１０、第２の障子３０および第３の障子４０とを備えた連動式建具である。
建具枠２は、上枠３および左右の縦枠４を備えており、これらの上枠３および縦枠４は、それぞれアルミ押出形材製の部材である。
【００１８】
上枠３は、第１の障子１０を案内する上レール３Ａと、第２の障子３０を案内する上レール３Ｂとを備えている。これらの上レール３Ａ，３Ｂ部分は、カバー材３Ｃで室内側から視認できないように被覆されている。
上枠３は、上レール３Ｂの室外側に配置される無目３Ｄを備えている。
【００１９】
また、第１の障子１０の見込み方向の移動を規制するガイドローラー５Ａが、第２の障子３０の下部に金具５を介して取り付けられている。第２の障子３０の見込み方向の移動を規制するガイドローラー５Ｂは、第３の障子４０の下部の金具５を挟み込むようにして土間コンクリートにアンカーで固定されている。これらのガイドローラー５Ａ，５Ｂは、上下方向の回転軸心を有する。
【００２０】
第１の障子１０は室内側に配置される内障子であり、第２の障子３０は第１の障子１０の室外側配置される外障子であり、第３の障子４０は第２の障子３０の室外側に配置される固定障子である。
第１の障子１０は、アルミ押出形材製の上框１１、下框１２、および左右の縦框１３，１４と、ガラス製や樹脂製の面材１５とを備える。
上框１１には取付片１７を介して戸車１８が回動自在に設けられている。
下框１２は、ガイドローラー５Ａが案内される断面コ字状の案内部１２Ａを有している。
縦框１３は、第２の障子３０との召合せ部における内召合せ框である。この縦框１３には、第２の障子３０に案内されるサイドローラー１６が取り付けられている。
戸先框となる縦框１４の見付け面（室内面および室外面）には、引手１４Ａが一体に形成されている。
【００２１】
第２の障子３０は、上框３１、下框３２、および左右の縦框３３，３４と、面材３５とを備えて構成されている。
上框３１には、上框１１と同様に、取付片１７を介して戸車１８が回動自在に設けられている。
下框３２も、下框１２と同様に、ガイドローラー５Ｂが案内される断面コ字状の案内部３２Ａを有している。また、下框３２には、第１の障子１０に設けられたサイドローラー１６を案内する案内部３２Ａが設けられている。
第３の障子４０との召合せ部の内召合せ框となる縦框３３には、縦框１３と同様に、サイドローラー１６が取り付けられている。
第１の障子１０との召合せ部の外召合せ框となる縦框３４の見込み面部３４１には、後述する連動装置２０が取り付けられている。
【００２２】
第３の障子４０は、前記上枠３の無目３Ｄと、縦枠４に沿って配置された縦框４３と、無目３Ｄの下面に固定された縦框４４と、各縦框４３，４４間に配置された下框４２と、面材４５とを備える。
下框４２には、下框３２と同様に、第２の障子３０に設けられたサイドローラー１６を案内する案内溝４２Ａが設けられている。
【００２３】
ここで、第１の障子１０の上框１１の室外面１１Ｅと、上枠３の無目３Ｄの室内面３Ｅとは、連動装置２０を挟んで対向する。従って、上框１１の室外面１１Ｅによって、第１の障子１０において連動装置２０が当接する当接面が構成され、無目３Ｄの室内面３Ｅによって、上枠３において連動装置２０が当接する対向面が構成されている。
【００２４】
連動装置２０の具体的な構成が図４から図７に示されている。図４は連動装置２０の縦框１４への取付状態を示す分解斜視図、図５は連動装置２０の側面図、図６は連動装置２０の平面図、図７は連動装置２０の背面図である。
連動装置２０は、図４に示すように、第２の障子３０の縦框（外召合せ框）３４の見込み面部３４１に取り付けられている。
縦框３４は、略角筒状のアルミ押出形材で構成され、見込み面部３４１と、室内側および室外側の見付け面部３４２とを備えている。そして、見込み面部３４１は、連動装置２０が取り付けられる被取付面部であり、見込み方向（水平方向）に沿って長孔３４３が形成されている。
【００２５】
連動装置２０は、見込み面部３４１に沿って配置されるフレーム２１と、このフレーム２１に回転自在に設けられるローラー２２と、このフレーム２１の背面部に固定された取付軸２３と、抜止部材であるプレート２４と、付勢部材であるコイル状ばね部材としてのねじりばね２５とを備える。
【００２６】
フレーム２１は、長尺状の金属製板材をコ字状に折り曲げて形成されるものであり、ローラー２２を回動自在に支持する一対の支持片部２１１と、これらの支持片部２１１を連結する連結部２１２とを備えている。このため、支持片部２１１は、連結部２１２に対して直交する方向に延出されている。
そして、連結部２１２の背面、つまり連結部２１２において、ローラー２２に対向する表面とは反対側の背面に前記取付軸２３が取り付けられている。具体的には、取付軸２３は、連結部２１２の中心（重心）位置に取り付けられている。
【００２７】
ローラー２２は、前記一対の支持片部２１１に回動自在に支持される軸部２２１と、この軸部２２１の軸方向に並んで設けられた第１および第２の２つのローラー本体２２２，２２３とを有する。ローラー本体２２２，２２３は、ゴム等の弾性材料から形成され、軸部２２１に固定されている。このため、軸部２２１およびローラー本体２２２，２２３は、フレーム２１に対して一体に回転する。
また、ローラー２２の回転軸心２２Ｃは、連結部２１２の長手方向に平行であり、このため、取付軸２３の軸心２３Ｃと直交する。
そして、ローラー本体２２２，２２３は、その最大径寸法が、上枠３の無目３Ｄの室内面３Ｅと第１の障子１０の上框１１の室外面１１Ｅとの間の寸法より小さい値となるように設計されている。
【００２８】
取付軸２３は、縦框３４の見込み面部３４１の長孔３４３に、回動自在かつ長手方向（見込み方向）に移動自在に挿入される。すなわち、取付軸２３は、その軸心２３Ｃが水平方向を向くように、長孔３４３に挿入され、後述するプレート２４によって抜け止めされる。また、取付軸２３の先端面には、ねじりばね２５の端部を係止するための係止溝２３０が形成されている。
【００２９】
プレート２４は、取付軸２３が長孔３４３から抜けることを防止する抜止部材である。
プレート２４は平面Ｌ字状の板部材であり、取付軸２３が挿通される挿通孔２４０が形成された平面略長方形の基部２４１と、この基部２４１の一端部から直角方向に延長された当接部２４２とを有する。基部２４１には、ねじりばね２５の端部を係止する係止部２４３が切起し加工などにより形成されている。
【００３０】
取付軸２３とプレート２４との間にはコイル状ばね部材（付勢部材）としてのねじりばね２５が介装されている。
ねじりばね２５は、プレート２４の係止部２４３に係止される一端部２５１と、取付軸２３の係止溝２３０に係止される他端部２５２と、一端部２５１および他端部２５２を結ぶコイル状に巻かれた螺旋部２５３とを有する。この螺旋部２５３は、取付軸２３に挿通される。
ねじりばね２５は、取付軸２３とプレート２４とを、相対的に互いに反対方向に回動させる付勢力を付与する。これにより、プレート２４の当接部２４２が、縦框３４の見付け面部３４２に当接してプレート２４が回り止めされると、取付軸２３が図１中時計回りに回動する。
取付軸２３が図１中時計回りに回動すると、上方に位置するローラー本体２２２が第１の障子１０の上框１１の室外面１１Ｅに当接し、下方に位置するローラー本体２２３が無目３Ｄの室内面３Ｅに当接する。なお、図７において図示されるプレート２４は、実線が縦框３４の内部に装着される前（ねじりばね２５が撓む前）の状態であり、想像線が縦框３４の内部に装着された後（ねじりばね２５が撓んだ後）の状態を示す。プレート２４が縦框３４の内部に装着された状態では、プレート２４が９０度回転した分、ねじりばね２５が撓む。このため、プレート２４を基準にすると、プレート２４に対して取付軸２３、フレーム２１を、図７中、反時計回りに回転するように、前記ねじりばね２５はプレート２４を取付軸２３の周方向に沿って付勢する。
【００３１】
連動装置２０は、連動装置の生産工場において、フレーム２１の連結部２１２に取付軸２３を固定し、支持片部２１１にローラー２２を回動自在に取り付けてユニット化する。そして、ユニット化されたフレーム２１、ローラー２２、取付軸２３を、プレート２４およびねじりばね２５と共に出荷する。この際、取付軸２３にプレート２４を挿通し、ねじりばね２５を取付軸２３およびプレート２４に取り付けた状態で出荷してもよいし、プレート２４およびねじりばね２５を取り付けずに出荷してもよい。
【００３２】
そして、連動装置２０は、建具１の生産工場や、施工現場で建具１に取り付けられる。
建具１の被取付面部である見込み面部３４１に連動装置２０を取り付けるには、図４にも示すように、連動装置２０の取付軸２３を、第２の障子３０の縦框３４の見込み面部３４１に形成された長孔３４３に挿通する。さらに、縦框３４の開口端面からプレート２４を挿入し、前記取付軸２３にプレート２４を装着する。さらに、プレート２４と取付軸２３とにねじりばね２５を介装する。ねじりばね２５をプレート２４と取付軸２３とに介装するにあたり、プレート２４とフレーム２１とに取付軸２３の周方向の付勢力が加わるようにする。この状態では、ねじりばね２５の付勢によってフレーム２１が取付軸２３を中心として周方向に回動し、ローラー２２のローラー本体２２２が第１の障子１０の上框１１の室外面１１Ｅに当接し、ローラー本体２２３が上枠３の無目３Ｄの室内面３Ｅに当接する。
【００３３】
連動装置２０が第２の障子３０に設けられた建具１において、第１の障子１０を開閉操作すると、ローラー本体２２２が第１の障子１０の上框１１に沿って転動し、この転動が伝わった下方のローラー本体２２３が上枠３の無目３Ｄの室内面３Ｅに沿って転動することで、第２の障子３０が第１の障子１０の半分の速度で開閉移動する。
【００３４】
ここで、図８に示される通り、風圧により、あるいは、開閉操作時に加わる力によって、第１の障子１０が見込み方向に振れることがある。第１の障子１０が振れると、第１の障子１０の上框１１の室外面１１Ｅと、上枠３の無目３Ｄの室内面３Ｅとの間の寸法が大きくなるが、ねじりばね２５の付勢によってローラー２２が取付軸２３を中心として周方向Ｐ１に付勢し続けることになり、上方に位置するローラー本体２２２が室外面１１Ｅに当接し、かつ、ローラー本体２２３が室内面３Ｅに当接した状態を維持する。
仮に、上下のローラー本体２２２，２２３の一方のみが第１の障子１０または無目３Ｄに当接するものの、他方が第１の障子１０または無目３Ｄに当接しない状態となった場合には、ねじりばね２５の付勢によって取付軸２３が長孔３４３に沿って見込み方向Ｐ２にずれることで、ローラー本体２２２が第１の障子１０に確実に当接することになり、ローラー本体２２３が無目３Ｄに確実に当接する。なお、図８ではローラー２２が回動する取付軸２３の周方向Ｐ１は時計方向とされているが、ねじりばね２５の付勢方向を変えることで反時計方向とし、ローラー本体２２２を無目３Ｄに当接させ、ローラー本体２２３を第１の障子１０に当接させることもできる。
【００３５】
このような本実施形態によれば、以下のような効果がある。
（１）縦框３４の見付け面部３４２に長孔３４３を形成し、この長孔３４３に取付軸２３を挿通し、この取付軸２３をプレート２４で抜け止めし、かつ、ねじりばね２５で取付軸２３を軸としてフレーム２１を回転させる方向に付勢しているので、第１の障子１０が見込み方向に振れて第１の障子１０と無目３Ｄとの間の寸法が変わっても、ローラー本体２２２を第１の障子１０に当接させ、ローラー本体２２３を無目３Ｄに当接させることができる。従って、ローラー本体２２２、２２３を、第１の障子１０と無目３Ｄとに常に当接させることができ、第１の障子１０が見込み方向に振れても、ローラー２２が空回りすることなく第１の障子１０と無目３Ｄとに当接するので、第１の障子１０と第２の障子３０とを確実に連動できる。
【００３６】
（２）また、取付軸２３は、長孔３４３の長手方向に沿って見込み方向に移動できるので、取付軸２３を、第１の障子１０の室外面１１Ｅおよび無目３Ｄの室内面３Ｅの中心位置に配置できる。このため、ローラー本体２２２、２２３と、室外面１１Ｅおよび室内面３Ｅに働く各摩擦力も同一にでき、ローラー２２はスムーズに回転して第１の障子１０および第２の障子３０を確実にかつスムーズに連動させて開閉できる。
【００３７】
（３）その上、連動装置２０の取付軸２３が長孔３４３内を見込み方向に移動するため、第１の障子１０が見込み方向に振れても、第２の障子３０は見込み方向に移動することがない。このため、第２の障子３０を案内するガイドローラー５Ｂに案内部３２Ａが過度に接触することがなく、開閉操作に必要な力の増大を防止でき、開閉操作性の低下も防止できる。
【００３８】
（４）ねじりばね２５を、取付軸２３とプレート２４とに介装したので、縦框３４にねじりばね２５の一端部２５１を係止するために切起し加工等を行う必要が無い。このため、縦框３４には、長孔３４３のみを加工すれば良く、建具１の製造コストの向上を抑えることができる。
【００３９】
（５）ねじりばね２５は、一端部２５１がプレート２４の係止部２４３に係止され、他端部２５２が取付軸２３の係止溝２３０に係止され、螺旋部２５３が取付軸２３に挿入される構成であるため、付勢部材の構成を簡易にでき、配置スペースも小さくできる。
【００４０】
（６）プレート２４を、基部２４１および当接部２４２を備えるＬ字状の板部材で構成し、当接部２４２を縦框３４の見付け面部３４２に当接させることでプレート２４の回り止めを行っている。このため、プレート２４および取付軸２３が長孔３４３に沿って見込み方向に移動しても、当接部２４２は見付け面部３４２への当接角度は多少変化するが、当接状態つまり回り止め状態を維持できるため、プレート２４の回り止めを簡易な構成で実現することができる。
【００４１】
〔第２実施形態〕
次に、本発明の第２実施形態に係る建具１Ａについて、図９に基づいて説明する。
図９は、建具１Ａの上部を拡大して示す横断面図である。図９では、第１の障子１０は上框１１のみ示す。
第２実施形態の連動装置２０Ａは、切換機構２６を備えた点が前記第１実施形態の連動装置２０と相違する。その他の構成は、第１実施形態と略同様であるため、切換機構２６について説明する。
【００４２】
切換機構２６は、フレーム２１の下方に配置されたフック２６Ａと、このフック２６Ａを見込み面部３４１に回動自在に取り付けるねじ部２６Ｂとを有する。
フック２６Ａは、その一端が第２の障子３０の見込み面部３４１にねじ部２６Ｂにより回動自在に取り付けられ、他端がフレーム２１の支持片部２１１に係止可能とされる金具である。
そして、フレーム２１の支持片部２１１をフック２６Ａの他端で係止することで、ローラー２２の軸部２２１を鉛直方向に向けることができる。このため、ローラー２２の周面がねじりばね２５の付勢に抗して、第１の障子１０と無目３Ｄとの双方から離れている離隔状態（実線で示す位置）となる。
一方、支持片部２１１からフック２６Ａを外すと、ねじりばね２５の付勢を許容してローラー２２の周面が第１の障子１０と無目３Ｄとにそれぞれ当接する当接状態（想像線で示す位置）になる。
【００４３】
第２実施形態では、第１実施形態と同様の効果を奏することができる他、次の効果を奏することができる。
（７）連動装置２０Ａは、ねじりばね２５の付勢に抗してローラー２２の周面が第１の障子１０と無目３Ｄとの双方から離れている離隔状態と、ねじりばね２５の付勢を許容してローラー２２の周面が第１の障子１０と無目３Ｄとにそれぞれ当接する当接状態とに切り換える切換機構２６を備えている。
このため、第１の障子１０の急激な開閉等によってローラー２２が第１の障子１０に対してスリップし、第１の障子１０が第２の障子３０に対して必要以上に移動しても、切換機構２６によって第１の障子１０を第２の障子３０に対して正しい位置に戻すことを容易に行える。
特に、フック２６Ａをフレーム２１の支持片部２１１に係止すれば、作業者はフレーム２１を手で保持しながら第１の障子１０を移動する必要が無いため、各障子１０，３０の位置合わせ時の作業性を向上できる。
【００４４】
（８）切換機構２６は、一端が見込み面部３４１に回動自在に取り付けられ、他端がフレーム２１の支持片部２１１に係止されるフック２６Ａを備えるから、フック２６Ａを回動操作するだけで切換操作を容易に行うことができる。
【００４５】
なお、本発明は、前記各実施形態に限定されるものではなく、本発明の目的を達成できる他の構成等を含み、以下に示すような変形等も本発明に含まれる。
例えば、前記各実施形態では、ローラー２２は軸部２２１の軸方向に２つのローラー本体２２２，２２３が並んで取り付けられる構造としたが、本発明では、ローラー２２を１本の円柱状部材から構成するものであってもよい。ただし、前記各実施形態のように２つのローラー本体２２２，２２３を軸部２２１に並べて設ける構成とすれば、ローラー全体の容積を少なくすることができるので、ローラー２２に用いる弾性材料の量を少なくすることができる。弾性材料を少なくすることで、ローラー２２の製造コストを低いものにできる他、軽量となるので、ローラー２２の回転をスムーズに行うことができる。
【００４６】
前記各実施形態では、付勢部材をねじりばね２５としたが、本発明の付勢部材はねじりばねに限定されるものではなく、例えば、プレート２４に設けた係止用突起と取付軸２３の周面に設けた係止用突起との間に介装されるゴムなどの弾性部材としてもよい。また、付勢部材としては、ねじりばね２５以外のばねを用いてもよい。
さらに、前記実施形態では、ねじりばね２５の一端部２５１をプレート２４に係止される構成としたが、ねじりばね２５の一端部２５１を第２の障子３０の縦框３４の内部に係合させる構成としてもよい。
【００４７】
さらに、第１の障子１０においてローラー２２が転動する位置は上框１１の室外面１１Ｅおよび無目３Ｄの室内面３Ｅに当接する位置に限定されるものではない。例えば、建具枠２に、各障子１０，３０を案内するレールを有する下枠を設けた場合には、下框１２および下枠に当接する位置に連動装置２０を配置してもよい。
【００４８】
切換機構２６は、第２実施形態の構成に限定されるものではない。つまり、切換機構２６は、ねじりばね２５の付勢に抗してローラー２２の周面が第１の障子と無目３Ｄとの双方から離れている離隔状態と、ねじりばね２５の付勢を許容してローラー２２の周面が第１の障子１０と無目３Ｄとにそれぞれ当接する当接状態とに切り換えるものであれば、その具体的な構成を問うものでない。例えば、切換機構は、フレーム２１の支持片部２１１を係止する前進位置と支持片部２１１から離隔する後退位置とに進退可能なスライダー部材と、このスライダー部材を前進位置または後退位置に係止する係止部材とを有する構成でもよい。
【００４９】
また、前記実施形態では、ローラー２２の最大径寸法を、上枠３の無目３Ｄの室内面３Ｅと第１の障子１０の上框１１の室外面１１Ｅとの間の寸法より小さく設定したが、切換機構２６を用いない場合にあっては、ローラー２２の最大径寸法を、無目３Ｄの室内面３Ｅと上框１１の室外面１１Ｅとの間の寸法と同じにしてもよい。
この場合、切換機構２６を用いない場合には、２つのローラー本体２２２，２２３の周面がそれぞれ無目３Ｄと上框１１との双方に当接し、軸部２２１が鉛直に延びている状態となる。
一方、第１の障子１０が見込み方向に振れて両者の間隔が広がった場合に、軸部２２１が傾いて、２つのローラー本体２２２，２２３の一方が第１の障子１０の上框１１に当接し、他方が無目３Ｄに当接する。
【００５０】
また、本発明の建具は、前記各実施形態の風除室用建具に限定されるものではなく、風除室以外の玄関用建具、浴室出入口用建具、さらには、部屋や収納、倉庫等の出入り口、あるいは窓に本発明の建具を用いてもよい。
また、本発明の建具、前記実施形態の固定障子（第３の障子４０）に替えて壁体（面状体）や戸袋が設けられていてもよく、この壁体に略重なって２枚の障子が開放されるような構成や、２枚の障子が戸袋に収納されて開放されるような構成が採用可能である。
【００５１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００５２】
１，１Ａ…建具、２…枠体である建具枠、３…上枠、３Ｄ…無目、３Ｅ…室内面、１０Ａ…第１の障子、１１…上框、１１Ｅ…室外面、２０，２０Ａ…連動装置、２１…フレーム、２２…ローラー、２２１…軸部、２２２、２２３…ローラー本体、２３…取付軸、２４…抜止部材であるプレート、２５…コイル状ばね部材であるねじりばね、２６…切換機構、２６Ａ…フック、３０…第２の障子、３４…縦框、３４１…被取付面部である見込み面部、３４２…見付け面部。
【図１】
2014043714.tif 000003
【図２】
2014043714.tif 000004
【図３】
2014043714.tif 000005
【図４】
2014043714.tif 000006
【図５】
2014043714.tif 000007
【図６】
2014043714.tif 000008
【図７】
2014043714.tif 000009
【図８】
2014043714.tif 000010
【図９】
2014043714.tif 000011